(57)【要約】      （修正有）【課題】本発明の目的は携帯電話の使用者が2台の携帯電話を別途に持ち歩く必要なく2台同時に片手で持ち、十分に使用できる携帯電話ケースを提供すること。【解決手段】本発明は、1台の携帯電話ケースの本体のカメラ・レンズのホールが設けられた面に接着物を設け、もう1台の携帯電話ケースの外側とそれぞれのカメラ・レンズのホールが上下逆に接着できる携帯電話ケースで、携帯電話を装着する際に、それぞれ1台の携帯電話ケースと同じ使用方法で、カメラ・レンズのホールを携帯電話で写真を撮る際に、接着部の移動、あるいは最初からカメラ・レンズのホールに妨害しないように接着することで、携帯電話のカメラ・レンズが携帯電話ケースの外部に出された状態で写真を撮影するようにすることで、携帯電話2台を同時に収容しつつ、1台の携帯電話と同程度に2台同時に片手で持ち且つ十分に使用できる携帯電話ケースである。【選択図】図１
2020086414.tif 000002
【特許請求の範囲】
【請求項１】
2台の携帯電話を同時に収納できる携帯電話ケースにおいて、２台の携帯電話背面を面と面が向い合せる状態で操作、保管する携帯電話ケース
【請求項２】
請求項１に記載するの２台の携帯電話の背面と背面を向い合せる状態において、一台の携帯電話のレンズホールの位置が、もう一台の携帯電話の背面から露出する機能を有する携帯電話ケース
【請求項３】
請求項2に記載する、１台の携帯電話のレンズホールをもう一台の携帯電話から露出できる携帯電話ケースにおいて、２台の携帯電話を上下逆さまにレンズケースに設置することによって、２台同時にレンズホールを露出できる機能を有する携帯電話ケース
【発明の詳細な説明】
【技術分野】
【０００１】
本発明は携帯電話ケースに関するものであり、特に2台、大きさや厚さなど製品によって少しずつ形の異なる色々な種類の携帯電話を同時に収容し、かつ写真撮影機能を損なわない携帯電話ケースに関するものである。
【背景技術】
【０００２】
過去には、携帯電話を一台のみ所持する使用者がほとんどだが、最近、携帯電話の機能と使用が大きく増え、使用場面、操作システムの違い、公私分別などの理由で携帯電話を常に2台持ち歩くようになる使用者が増えるににつれて、携帯電話を2台収容できる携帯電話ケース、たとえば、中開きの手帳型やポーチ型、長財布型携帯電話ケースが幅広く使われている。しかし、携帯電話で写真を撮る時は、携帯電話ケースのカメラ・レンズのホールを通して携帯電話のカメラ・レンズを外部に露出させて撮影していたため、このような従来の携帯電話ケースの場合、カメラ・レンズのホールが設けられた携帯電話ケース本体の内側面に携帯電話を装着させることが多く、片手で2台同時に持つ場合、2台いずれかのカメラが撮影できない。すなわち、既存の2台収容できる携帯電話ケースは携帯電話の機能を十分に使用できなかった。
また最近、情報通信技術の急速な発展に従って、携帯電話に関する先端技術が日増しに急速に開発されており、
大きさや厚さ、形状が若干異なる独自の機能を搭載した製品が急速に発売されている。
従って、携帯電話ケースもそれぞれの携帯電話の大きさや厚さ及び形状に合わせて製作され、消費者に供給されている。従って、2台収容できる携帯電話ケースを供給する生産、販売者は数多くの携帯電話の機種に合わせた携帯電話ケースの組み合わせを全て考慮しなければならないという負担を抱えることになり、収容できる機種を制限することか、あるいは使いやすさを損なって最大容積を増やせざるを得ない。これは結局、製造原価を上昇させ、生産、販売者は勿論、消費者にも使いにくいため、1台収容型携帯電話ケースより、2台収容型携帯電話ケースの産業が活発ではない。
【先行技術文献】
【特許文献】
【０００３】
【特許文献１】なし
【非特許文献】
【０００４】
【非特許文献１】https://media.fashion-balloon.com/articles/2phones_casesスマホ２台収納ケースまとめ
【発明の概要】
【発明が解決しようとする課題】
【０００５】
本発明は上記の従来の2台収容型携帯電話保護ケースが持っているあらゆる問題点を解決するために研究されたものであり、本発明の目的は2台収容型携帯電話保護ケースが携帯電話の多様な機能を十分に使用できるようにし、携帯電話の使用者が2台の携帯電話を別途に持ち歩く必要なく、1台の携帯電話と同程度にで2台同時に片手で持ち且つ十分に使用できる携帯電話ケースを提供することにある。
【課題を解決するための手段】
【０００６】
このために本発明は、
1台の携帯電話ケースの本体のカメラ・レンズのホールが設けられた面に接着物を設け、もう1台の携帯電話ケースの外側とそれぞれのカメラ・レンズのホールが上下逆に接着できる携帯電話ケースで、
携帯電話を装着する際に、それぞれ1台の携帯電話ケースと同じ使用方法で、
カメラ・レンズのホールを携帯電話で写真を撮る際に、接着部の移動、あるいは最初からカメラ・レンズのホールに妨害しないように接着することで、携帯電話のカメラ・レンズが携帯電話ケースの外部に出された状態で写真を撮影するようにすることで、
携帯電話2台を同時に収容しつつ、1台の携帯電話と同程度にで2台同時に片手で持ち且つ十分に使用できる携帯電話ケースである。
【発明の効果】
【０００７】
本発明の携帯電話ケースは、
携帯電話を2台背中合わせ、カメラ・レンズの位置を上下逆に収容することで、携帯電話で写真を撮る際に、携帯電話のカメラ・レンズが携帯電話ケースの外部に露出できる状態で写真を撮るようにすることで、2台の携帯電話を収容する体積を最小限に抑えつつ、  1台の携帯電話と同程度にで2台同時に片手で持ち且つ機能を十分に使用できる携帯電話ケースである。
【図面の簡単な説明】
【０００８】
【図１】図１は、本発明が適用された携帯電話ケースの一実施例の外観写真である。
【図２】図２は、同分解写真である。
【図３】図３は、同四方のサイズを最小限にする写真である。
【図４】図4は、本発明の他の実施様態の外観の写真である。（磁力板以外の固定方法例）
【図５】図5は、同分解写真である。
【図６】図6は、本発明の他の実施様態の外観の写真である。（着脱不可の一体型）
【図７】図7は本発明の他の実施様態の外観の写真である。（２種異なるサイズの携帯電話）
【図８】図８は、同分解写真である。
【図９】図９は、同四方のサイズを最小限にする写真である。
【図１０】実際携帯電話ケースに携帯電話を装着し、２台同時に写真撮影様態
【発明を実施するための形態】
【０００９】
添付した図面に基づき、本発明の望ましい実施例を説明すると以下のとおりである。
【００１０】
図１は、本発明が適用された携帯電話ケースの一実施例の外観写真である。図２は、同分解写真であり、本発明の一実施例の携帯電話ケースは、携帯電話ケースの本体の外側面に接着部として、磁力板と一体的に又は個別的に形成されて結合されている。
【００１１】
このような構成から成る本発明の一実施例の携帯電話ケースは、携帯電話で写真を撮る時、接着部を図2に図示のとおり一旦はずし、携帯電話ケースを軽くずらしてから、携帯電話のカメラ・レンズが図１に図示のとおり、携帯電話ケースの外部に露出された状態になる。
【００１２】
この状態で写真を撮った後、収納に許容できる空間に応じて、そのまま収納することもできる。また、再度携帯電話ケースの接着部を外し、図３のように最小サイズに復帰させることもできる。
【００１３】
図５は、本発明の他の実施例の構成状態を示す図4の分解写真であり、磁力板以外に面ファスナー（マジックテープ）などの面着脱できる特性がある材料も使用できる。
【００１４】
図６は、本発明が適用された携帯電話ケースの更に他の実施例の外観写真、図示のとおり、接着剤で、携帯電話ケースの一台用パーツを携帯電話のカメラ・レンズを携帯電話ケースの外部に露出させる位置で固定することによって、携帯電話ケースを操作することなく撮影するようにしたものである。収容空間が調整できない一方、2台の携帯電話を最軽量に収容できる携帯電話ケースでもある。
【００１５】
図７は、サイズが違う携帯電話ケース２つでも、前記の使用状態が可能であり、図８のように分解し、図９のように、四方のサイズを最小に収容できる。
【００１６】
このように、本発明の上記の更に他の実施例の携帯電話ケースは、任意の形状の携帯電話ケースを自由に組み合わせることができ、生産、販売者は、携帯電話機種の大きさや厚さ及び形に合わせた携帯電話ケースの組み合わせを全部考慮しなければならないという負担から逃れられ、製造単価を大きく減らすことができ、消費者は、2台収納可能の携帯電話ケースを購入する際、これから自分の携帯電話の機種変更への対応を心配せずに、携帯電話を変更する都度、変更する方にあわせるサイズのパーツのみ変更すれば、経済的且つ収納空間小さくに使用できるという長所を持つ。
【００１７】
以上で、本発明を特定の実施例に基づいて説明したが、その他にも本発明は本発明の技術的思想の範囲内で様々な変更例が可能である。一例を挙げると、本発明の上記の一実施例に適用されたの接着部は旋回、ガイドレールなど様々な変更例によって携帯電話のカメラ・レンズを携帯電話ケースの外部に露出させる機能を発揮することが可能で、上記の更に他の実施例に例示されているなどの形態や結合状態も本発明の技術的思想の範囲内で適宜変更可能であり、上記の実施例だけに本発明の技術的範囲が限定されないことは言うまでもない。
【図１】
2020086414.tif 000003
【図２】
2020086414.tif 000004
【図３】
2020086414.tif 000005
【図４】
2020086414.tif 000006
【図５】
2020086414.tif 000007
【図６】
2020086414.tif 000008
【図７】
2020086414.tif 000009
【図８】
2020086414.tif 000010
【図９】
2020086414.tif 000011
【図１０】
2020086414.tif 000012